(57)【要約】【課題】温水洗浄便座用の温水タンクの外面を断熱材で被覆した場合には、温水タンクの取り付け作業時等において断熱材が剥がれ落ちて部分的に断熱厚さが薄くなり、又は温水タンク壁が露出する状態となり、その部分に露付きが生じこの露がトイレ室の床を濡らす。また、温水タンクの下部にシーズヒータを配置した場合、温水タンク外に露出するシーズヒータの端子部分がこの露で濡れて漏電や錆が発生し、発火したときは温水タンク外面の断熱材が燃える虞がある。本発明は、取り扱い時に断熱材が剥がれ落ちない構成の断熱温水タンクを提供するものである。【解決手段】温水タンク内面に断熱材の層を形成したこと、温水タンクは、下面開口の上タンク部と上面開口の下タンク部とがそれぞれ接合して一体化される構成であり、上タンク部と下タンク部は、接合前または接合後に内面に断熱材の層を形成すること。【選択図】図６
2008075426.tif 000002
【特許請求の範囲】
【請求項１】
温水タンク内面に断熱材層を形成したことを特徴とする温水洗浄便座用の温水タンク。
【請求項２】
下面開口の上タンク部と上面開口の下タンク部とがそれぞれ前記下面開口と前記上面開
口の周縁部が接合して一体化される構成であり、前記上タンク部と前記下タンク部は、前
記接合前または前記接合後に内面に断熱材の層を形成したことを特徴とする温水洗浄便座
用の温水タンク。
【請求項３】
下面開口の上タンク部と上面開口の下タンク部とがそれぞれ前記下面開口と前記上面開
口の周縁部が接合して一体化される構成であり、前記上タンク部と前記下タンク部は、前
記接合の前に内面に断熱材の層を形成した後、前記下面開口と前記上面開口の周縁部を接
合して一体化したことを特徴とする請求項２に記載の温水洗浄便座用の温水タンク。
【請求項４】
下面開口の上タンク部と上面開口の下タンク部とを合成樹脂成形した後、前記下面開口
と前記上面開口の周縁部を接合前に、前記上タンク部内と前記下タンク部内に流動状態の
発泡性断熱材を入れて、前記上タンク部と前記下タンク部を揺動又は回転させて、前記上
タンク部と前記下タンク部の内面に断熱材の層を形成した後、前記下面開口と前記上面開
口の周縁部を接合して一体化したことを特徴とする請求項２に記載の温水洗浄便座用の温
水タンク。
【請求項５】
下面開口の上タンク部と上面開口の下タンク部とを合成樹脂成形した後、前記下面開口
と前記上面開口の周縁部を接合して一体化し、この一体化したタンク内に流動状態の発泡
性断熱材を入れて揺動又は回転させて、前記上タンク部と前記下タンク部の内面に連続し
た断熱材の層を形成したことを特徴とする請求項２に記載の温水洗浄便座用の温水タンク。
【発明の詳細な説明】
【技術分野】
【０００１】
本発明は、温水洗浄便座用の温水タンクに関する。
【背景技術】
【０００２】
温水洗浄便座用の温水を溜めるためにヒータを内蔵した温水タンクを備え、この温水タ
ンクは、水道水が電磁弁と減圧弁を通って供給され、温水タンク内の温水を洗浄ノズルか
ら噴射して、肛門やビデ等の局部洗浄用として使用することは周知である。（例えば、特
許文献１参照）。
【特許文献１】特開２００１−９８６１５号公報
【発明の開示】
【発明が解決しようとする課題】
【０００３】
このような温水タンクは、一般的に、供給された水道水をヒータによって加温し、所定
温度範囲に保つように温度制御部によって温度制御しているが、強度やコスト等を考慮し
て、温水タンクはＡＢＳ樹脂等で構成されるため、断熱効果が少なく、外部への放熱量が
大きい。このため、特に、温水タンクの周囲温度が低下した状況下では、温水タンクの壁
を通して放熱し、ヒータに通電する時間が長くなって電力消費が多くなる。また、梅雨時
期のように温水タンクの周囲の湿度が高い状況下では、温水タンクの外面に露付きが生じ
、この露が電気系統の漏電を引き起こす懸念もある。
【０００４】
これに対して、温水タンクの外面を断熱材で被覆した場合には、温水タンクを便座の後
ろ側にケースで覆われる取り付け基材部へ配設する作業時等において、この断熱材が剥が
れ落ちて部分的に断熱厚さが薄くなり、或いは温水タンク壁が露出する状態となり、その
部分に露付きが生じ、この露が下方に流れてトイレ室の床を濡らす。また、温水タンクの
下部にシーズヒータを配置した場合、温水タンク外に露出するシーズヒータの端子部分が
この露で濡れて、漏電や錆の問題が懸念され、発火したときは温水タンク外面の断熱材が
燃える虞がある。
【０００５】
本発明はこのような点に鑑み、電力消費の軽減と漏電等の危険回避ができ、取り扱い時
に断熱材が剥がれ落ちない構成の断熱温水タンクを提供するものである。
【課題を解決するための手段】
【０００６】
第１発明の温水洗浄便座用の温水タンクは、温水タンク内面に断熱材の層を形成したこ
とを特徴とするものである。
【０００７】
第２発明の温水洗浄便座用の温水タンクは、下面開口の上タンク部と上面開口の下タン
ク部とがそれぞれ前記下面開口と前記上面開口の周縁部が接合して一体化される構成であ
り、前記上タンク部と前記下タンク部は、前記接合前または前記接合後に内面に断熱材の
層を形成したことを特徴とする。
【０００８】
第３発明の温水洗浄便座用の温水タンクは、第２発明において、下面開口の上タンク部
と上面開口の下タンク部とがそれぞれ前記下面開口と前記上面開口の周縁部が接合して一
体化される構成であり、前記上タンク部と前記下タンク部は、前記接合の前に内面に断熱
材の層を形成した後、前記下面開口と前記上面開口の周縁部を接合して一体化する。この
場合、前記上タンク部と前記下タンク部をそれぞれ別個に成形するとき、二重成形方法に
よって、前記上タンク部と前記下タンク部と、それらの内側の断熱材層を形成する方法で
断熱タンクを形成することを特徴とする。
【０００９】
第４発明の温水洗浄便座用の温水タンクは、第２発明において、下面開口の上タンク部
と上面開口の下タンク部とを合成樹脂成形した後、前記下面開口と前記上面開口の周縁部
を接合前に、前記上タンク部内と前記下タンク部内に流動状態の発泡性断熱材を入れて、
前記上タンク部と前記下タンク部を揺動又は回転させて、前記上タンク部と前記下タンク
部の内面に断熱材の層を形成した後、前記下面開口と前記上面開口の周縁部を接合して一
体化することを特徴とする。
【００１０】
第５発明の温水洗浄便座用の温水タンクは、第２発明において、下面開口の上タンク部
と上面開口の下タンク部とを合成樹脂成形した後、前記下面開口と前記上面開口の周縁部
を接合して一体化し、この一体化したタンク内に流動状態の発泡性断熱材を入れて揺動又
は回転させて、前記上タンク部と前記下タンク部の内面に連続した断熱材の層を形成した
ことを特徴とする。
【発明の効果】
【００１１】
第１発明において、温水タンク内面に断熱材の層を形成したことにより、断熱材を温水
タンク外面に形成した場合と同様に断熱効果を得ることができる。また、温水タンクを便
座の後ろ側にケースで覆われる取り付け基材部へ配設する作業時等において、作業者や他
の物体がこの断熱材に接触することがないため、剥がれ落ちて部分的に断熱厚さが薄くな
り、或いは温水タンク壁が露出する状態となって、その部分に露付きが生じる問題もなく
、温水タンクの下部にシーズヒータを配置した場合にも、このシーズヒータの端子部分が
濡れたことによる漏電や錆や発火の問題もない。
【００１２】
第２発明並びに第３発明は、上タンク部と下タンク部は、接合前または接合後に内面に
断熱材の層を形成する。上タンク部と下タンク部の溶着前に、それらの内面に断熱材層を
形成する場合、二重成形方法によって、上タンク部と下タンク部の内側に断熱材層を形成
することにより、上タンク部と断熱材層、及び下タンク部と断熱材層の接着状態が良好と
なり、温水タンクを温水洗浄便座に組み込んで使用する状態でも、安定した構成が得られ
るものとなる。また、温水タンクの下部にシーズヒータを配置した場合にも、このシーズ
ヒータの端子部分が濡れたことによる漏電や錆や発火の問題もない。
【００１３】
第４発明は、下面開口の上タンク部と上面開口の下タンク部とを合成樹脂成形した後、
上タンク部の下面開口と下タンク部の上面開口の周縁部を接合する前に、上タンク部内と
下タンク部内に流動状態の発泡性断熱材を入れて揺動又は回転させて断熱材層を形成する
ことによって、断熱材層の厚さを均一化し易く、また、上タンク部内と下タンク部内が、
温度検知部やシーズヒータ等の取り付けや、効果的な加温形状等によって複雑な形状をな
す場合でも、複雑な形状の部分にも断熱材層を形成し易くなり、併せて上記同様の効果も
奏すことができる。
【００１４】
第２発明は、両タンク部の断熱材層間に隙間が生じればその部分で断熱効果が低下する
ため、そのようにならないように製造しなければならないが、第５発明は、上タンク部の
下面開口と下タンク部の上面開口の周縁部を接合して一体化したタンク内に、流動状態の
発泡性断熱材を入れて揺動又は回転させて、このタンク内面に断熱材の層を形成すること
により、上タンク部と下タンク部の内面の断熱材は連続すると共に略均一化し易くなり、
上タンク部の下面開口と下タンク部の上面開口の周縁部の溶着部分で断熱効果が低下する
ことの懸念がない構造となり、断熱温水タンクとして好ましいものとなる。そして、温度
検知部やシーズヒータ等の取り付けや、効果的な加温形状等によって、タンク部内の形状
が複雑な形状をなす場合でも、複雑な形の部分にも断熱材層の形成がし易くなると共に、
断熱材層がタンク外面に露出しないので、断熱材層が他物等に接して損傷を受けることが
ないものとなる。また、温水タンクの下部にシーズヒータを配置した場合にも、このシー
ズヒータの端子部分が濡れたことによる漏電や錆や発火の問題もない。
【発明を実施するための最良の形態】
【００１５】
本発明に係る温水洗浄便座用の温水タンクは、温水タンク内面に断熱材の層を形成した
ことを特徴とする。この場合、下面開口の上タンク部と上面開口の下タンク部とがそれぞ
れ前記下面開口と前記上面開口の周縁部が接合して一体化される構成であり、前記上タン
ク部と前記下タンク部は、前記接合前または前記接合後に内面に断熱材の層を形成したこ
とを特徴とするものであり、本発明の実施例を以下に記載する。
【実施例１】
【００１６】
本発明の実施形態について説明する。図１は本発明に係る温水洗浄便座の蓋が閉まった
状態の斜視図、図２は本発明に係る温水洗浄便座の蓋を取り外した状態の斜視図、図３は
本発明に係る温水洗浄便座の蓋と機能部分のカバーを取り外した状態の斜視図、図４は本
発明に係る温水洗浄便座の機能部分のカバーを取り外した状態の平面図、図５は本発明に
係る温水洗浄便座用の温水タンクの背面斜視図、図６は本発明に係る温水洗浄便座用の温
水タンクの縦断面図である。
【００１７】
図１乃至図４において、１は本発明の温水洗浄便座を示しており、裏側から絶縁被覆さ
れたコードヒータで加温される便座２と、便座２の上面を覆う開閉蓋３と、便座２及び開
閉蓋３の後方に位置して後述の機能部１０を配置すると共に便座２及び開閉蓋３を開閉回
動可能に支持する取り付け基材部８を備えている。取り付け基材部８には、便座２の後部
下側へ延びる肛門洗浄用ノズル４Ａやビデ洗浄用ノズル４Ｂや温水タンク５や電装部６等
の機能部１０が配設された基台部８Ａを備え、機能部１０を覆うようにカバー７が取り付
け基材部８に着脱自在に取り付けられている。蓋３の後端部の駆動側（図では右側）は、
基台部８Ａに支持部材を介して取り付けた電動機装置９によって往復回転する回転軸１１
に取り付けられて上方に開閉回動可能である。また、便座２の後端部の駆動側（図では左
側）は、取り付け基材部８に取り付けた電動機装置１２によって往復回転する回転軸１３
に取り付けられている。また、便座２の後端部の従動側（図では右側）は、便座２の後端
部から水平方向に外向きに突出した円筒状軸部２４が一体に形成され、この円筒状軸部２
４内に進入するように取り付け基材部８から延びた水平方向軸によって、回動可能に支持
されている。なお、円筒状軸部２４が取り付け基材部８の軸受け部に支持される構成でも
よい。
【００１８】
温水タンク５へ供給される水道水は、水道水配管に接続されたパイプジョイント装置１
４から、取り付け基材部８に取り付けた電磁弁と減圧弁を順次通って供給される。１５は
温風用電気ヒータを内蔵した温風供給装置であり、取り付け基材部８に取り付けられてい
て、便座２の後部下側へ延びる温風ノズル１５Ａから温風を供給する。
【００１９】
温水タンク５は、下面開口の上タンク部５Ａと上面開口の下タンク部５Ｂとが、それぞ
れ上タンク部５Ａの下面開口周縁部５Ａ１と下タンク部５Ｂの上面開口周縁部５Ｂ１が、
接合面Ｐにて接合されて一体化される構成である。この接合は、下面開口周縁部５Ａ１と
上面開口周縁部５Ｂ１を接着剤によって接合するものと、下面開口周縁部５Ａ１と上面開
口周縁部５Ｂ１を溶着にて接合するものとがあり、後者の場合は、高周波溶着等の手段が
ある。
【００２０】
上タンク部５Ａの下面開口と下タンク部５Ｂの上面開口は、同形状をなしているが、下
タンク部５Ｂの下部は上部に比して小容積に絞られて、シーズヒータ１６が水平方向に配
設される加温室５Ｃを形成している。パイプジョイント装置１４から減圧弁を通って供給
される水は、加温室５Ｃの底に貫通したパイプ１９から加温室５Ｃ内に設けたバッフル板
２０に向けて供給されが、この小容積加温室５Ｃによって温水タンク５内の水は速やかに
加熱され、対流によって温水タンク５内の全体の水が速やかに加熱される。
【００２１】
シーズヒータ１６は、取り付けナット１７によって加温室５Ｃの側面に取り付けられ、
その端子部１６Ａが加温室５Ｃ外に位置する。この端子部１６Ａは、加温室５Ｃの上部が
下タンク部５Ｂの上面開口周縁部５Ｂ１に向かって広がることによって形成される庇部５
Ｂ２によって上方が覆われ、この庇部５Ｂ２の下側空間で外部リード線と接続して、この
部分を保護している。
【００２２】
温水タンク５は、その内面に断熱材１８の層を形成している。下面開口の上タンク部５
Ａと上面開口の下タンク部５Ｂを型でもって合成樹脂を所定形状に成形した後、上タンク
部５Ａの内面に合成樹脂の断熱材１８Ａの層を形成し、また下タンク部５Ｂの内面に合成
樹脂の断熱材１８Ｂの層を形成する。この断熱材１８Ａ、１８Ｂの層を形成する方法の一
つとして、上タンク部５Ａの成形時に二重成形方法によって断熱材１８Ａを形成し、同様
に、下タンク部５Ｂの成形時に二重成形方法によって断熱材１８Ａを形成する。この断熱
材１８Ａ、１８Ｂの層を形成した後、下面開口周縁部５Ａ１と上面開口周縁部５Ｂ１を接
合して一体化する。
【００２３】
上タンク部５Ａと下タンク部５Ｂの成形は、加熱した合成樹脂板を真空引きによって型
（治具ともいう）に引き付けて所定の形状に成形する周知の真空成形方法や、加熱した合
成樹脂板を型（治具ともいう）内で加圧空気によって膨らませて所定の形状に成形する周
知のブロー成形方法や、流動状態の合成樹脂を金型に射出して所定の形状に成形する周知
のインジェクション成形方法等が採用される。また、上記の二重成形方法は周知方法を採
用できる。
【００２４】
断熱材１８Ａ、１８Ｂの層を形成する他の方法として、下面開口の上タンク部５Ａと上
面開口の下タンク部５Ｂを型でもってＡＢＳ等の合成樹脂を所定形状に成形した後、下面
開口周縁部５Ａ１と上面開口周縁部５Ｂ１を接合前に、上タンク部５Ａの内面に流動状態
の発泡ポリウレタン樹脂等の発泡性断熱材（溶剤によって断熱材が液状となったもの）を
入れて、上タンク部５Ａを揺動又は回転させて、上タンク部５Ａの内面全体に亘り均一化
するように上タンク部５Ａを揺動又は回転させる。これによって、発泡性断熱材が発泡し
つつ断熱材１８Ａの層が上タンク部５Ａの内面全体に形成される。また同様にして、前記
接合前に、下タンク部５Ｂの内面に流動状態の発泡ポリウレタン樹脂等の発泡性断熱材（
溶剤によって断熱材が液状となったもの）を入れて、下タンク部５Ｂを揺動又は回転させ
て、下タンク部５Ｂの内面全体に亘り且つ均一化するように下タンク部５Ｂを揺動又は回
転させる。これによって、発泡性断熱材が発泡しつつ断熱材１８Ｂの層が下タンク部５Ｂ
の内面全体に形成される。この断熱材１８Ａ、１８Ｂの層を形成した後、下面開口周縁部
５Ａ１と上面開口周縁部５Ｂ１を接合して一体化するものである。上記の揺動又は回転に
よって、複雑な形状の部分にも断熱材層の形成がし易くなると共に、断熱材層の厚さを均
一化し易くなる。
【００２５】
更に、断熱材１８Ａ、１８Ｂの層を形成する他の方法として、下面開口の上タンク部５
Ａと上面開口の下タンク部５Ｂを型でもってＡＢＳ等の合成樹脂を所定形状に成形した後
、下面開口周縁部５Ａ１と上面開口周縁部５Ｂ１を接合して一体化してタンクを形成し、
この一体化したタンク内に流動状態の発泡ポリウレタン樹脂等の発泡性断熱材（溶剤によ
って断熱材が液状となったもの）を入れて、タンク内面全体に亘り且つ均一化するように
タンクを揺動又は回転させる。これによって、発泡性断熱材が発泡しつつ断熱材１８の層
が形成され、上タンク部５Ａと下タンク部５Ｂの内面に連続した断熱材１８の層が形成さ
れるものである。上記の揺動又は回転によって、複雑な形状の部分にも断熱材層の形成が
し易くなると共に、断熱材層の厚さを均一化し易くなる。
【００２６】
上タンク部５Ａと下タンク部５Ｂは、燃えないようにＡＢＳ等の不燃性の合成樹脂を採
用している。断熱材１８Ａ、１８Ｂは、タンク内部に配設されるため、燃えることはない
ので、断熱効果が良好で、しかも耐水性であって成形し易いものとして、発泡ポリウレタ
ン樹脂等の多孔質材、または他の熱伝導性の低い材料、或いはポリエチレン系の弾力性皮
膜等が用いられる。上記のようにして形成された断熱材１８Ａ、１８Ｂ、及び１８の厚さ
は、比較的薄く、３ｍｍ〜４ｍｍであれば良好な断熱効果が得られる。
【００２７】
断熱材１８Ａ、１８Ｂ、又は１８を形成した温水タンク５の上壁には、温水タンク５内
の湯温を検知する温度検知部２１と、温水タンク５内の湯温レベルを検知するフロートス
イッチ２２と、温水タンク５内の湯温のオーバーフロー用パイプの取り付け部２３が設け
られている。
【００２８】
電装部６は、温度検知部２１の検知に基づきシーズヒータ１６の通電をＯＮ−ＯＦＦす
る制御と、フロートスイッチ２２によって前記電磁弁を開閉する制御と、リモートコント
ロール盤（図示せず）のスイッチ操作に基づき電動機装置９と電動機装置１２をＯＮ−Ｏ
ＦＦする制御と、前記リモートコントロール盤（図示せず）のスイッチ操作に基づき温水
タンク５内の湯温を変える制御と、前記リモートコントロール盤（図示せず）のスイッチ
操作に基づき洗浄用ノズル４Ａまたは４Ｂのいずれから温水を噴射するかの制御と、前記
リモートコントロール盤（図示せず）のスイッチ操作に基づき温風供給装置１５をＯＮ−
ＯＦＦする制御等を行う制御部が設けられている。
【００２９】
このようにして構成した温水タンク５の一つの実施形態として、上タンク部５Ａと下タ
ンク部５ＢはＡＢＳ樹脂で肉厚が略均一な２ｍｍ、発泡ポリウレタン樹脂の断熱材１８Ａ
、１８Ｂ、及び１８の厚さは３ｍｍ〜４ｍｍで、温水タンク５内の容積が１リットル乃至
１．５リットル、湯温が３５℃乃至４５℃、シーズヒータ１６への通電電流が４乃至５ア
ンペアとし、洗浄用ノズル４Ａまたは４Ｂから一分間に１乃至２リットルの温水を噴射す
るのに適したものとなる。そして、電力消費は、断熱材１８Ａ、１８Ｂ、及び１８を設け
ない場合に比して、略２５％で済むことが判明している。
【産業上の利用可能性】
【００３０】
本発明は上記実施例に示した構成に限定されず、種々の形態の温水洗浄便座用の温水タ
ンクに適用できるものであり、本発明の技術範囲において種々の形態を包含するものであ
る。
【図面の簡単な説明】
【００３１】
【図１】本発明に係る温水洗浄便座の蓋が閉まった状態の斜視図である。（実施例１）
【図２】本発明に係る温水洗浄便座の蓋を取り外した状態の斜視図である。（実施例１）
【図３】本発明に係る温水洗浄便座の蓋と機能部分のカバーを取り外した状態の斜視図である。（実施例１）
【図４】本発明に係る温水洗浄便座の機能部分のカバーを取り外した状態の平面図である。（実施例１）
【図５】本発明に係る温水洗浄便座用の温水タンクの背面斜視図である。（実施例１）
【図６】本発明に係る温水洗浄便座用の温水タンクの縦断面図である。（実施例１）
【符号の説明】
【００３２】
１・・・・・温水洗浄便座
２・・・・・便座
３・・・・・開閉蓋
４Ａ・・・・肛門洗浄用ノズル
４Ｂ・・・・ビデ洗浄用ノズル
５・・・・・温水タンク
５Ａ・・・・上タンク部
５Ａ１・・・下面開口周縁部
５Ｂ・・・・下タンク部
５Ｂ１・・・上面開口周縁部
６・・・・・電装部
７・・・・・カバー
８・・・・・取り付け基材部
９・・・・・電動機装置
１０・・・・機能部
１２・・・・電動機装置
１６・・・・シーズヒータ
１８・・・・タンク内面の断熱材
１８Ａ・・・上タンク部内面の断熱材
１８Ｂ・・・下タンク部内面の断熱材
２１・・・・温度検知部
２２・・・・フロートスイッチ
２３・・・・オーバーフロー用パイプの取付部
【図１】
2008075426.tif 000003
【図２】
2008075426.tif 000004
【図３】
2008075426.tif 000005
【図４】
2008075426.tif 000006
【図５】
2008075426.tif 000007
【図６】
2008075426.tif 000008